(57)【特許請求の範囲】
【請求項１】
焼酎やお湯の入れやすさと戴盃を目的とする広い幅の口縁をもち、その口縁、または、極端に括れたり極端に窄まる部分がないとすることによりその広い開口から内部の液嵩を容易に視認できて片手にも把りやすい無柄太筒状の器体に適切な流量と液が後引きしないことを実現する複数の隅口や片口などの注ぎ口を備えることを特徴とする広口の徳利と、この広口徳利の開口の内側に適度な遊びをもって収まる高台をこの広口徳利の口縁を覆い得るほどの幅のある平らな底裏に設けることを特徴とする盃、この二つを対として成る、焼酎用の酒器セット。
【請求項２】
無柄で片手にも把りやすい形とするその器体の上部に焼酎やお湯の入れやすさと戴盃を目的とする適度に広い幅の口縁を形成できる適度に窄まる首部をもち、その口縁に適切な流量と液が後引きしないことを実現できる複数の隅口や片口などの注ぎ口を備えることと自体の材質を内部の液嵩を容易に透視できるものとすることを特徴とする広口の徳利と、この広口徳利の開口の内側に適度な遊びをもって収まる高台をこの広口徳利の口縁を覆い得るほどの幅のある平らな底裏に設けることを特徴とする盃、この二つを対として成る、焼酎用の酒器セット。
【発明の詳細な説明】
【技術分野】
【０００１】  本発明は、焼酎の湯割りからその酌まで容易にできる徳利と、その蓋ともなり得る盃、この二つを対として成る、焼酎用の酒器セットに関するものである。
【背景技術】
【０００２】  焼酎の特色として、自分に好ましい濃さに割れることと、燗に適していることがある。【０００３】  その燗の方法としては、水割りした焼酎を入れた黒ヂョカとかカラカラなどの火燗器を直火で温める火燗、水割りした焼酎を入れた徳利などを湯で温める湯煎、そして、焼酎と湯をコップなどで混合する湯割り、これらの方法がある。【０００４】  飲酒の様式に関しては、黒ヂョカや徳利や片口酒器などから盃に酌をして飲む様式と、コップなどで湯割りした焼酎をその容器から飲む様式がある。
【発明の開示】
【発明が解決しようとする課題】
【０００５】  湯割りは、その時々に応じて焼酎を自分に好ましい濃さにすることができるし、同時に燗にもなるので、コップなどで湯割りをし、その容器から飲む方式が広く行われている。
しかし、この場合、コップ型の容器は口が広いため冷めやすいし、酌をして盃から飲むという様式に比べると、コップ酒というイメージがあるように多分に風情に欠ける上に、酌という一つの間がないので飲酒のペース配分がしにくい面があるし、献酬もできない。
黒ヂョカ、徳利、片口酒器などで、酌をして飲みたいという願望があるゆえんである。【０００６】  その黒ヂョカは、酌はしやすいが、器体が扁平で口が狭く、内部の液嵩が見えないので焼酎の割り方は別な容器で行う必要があり、これを移す手間と火燗の道具などを要した。【０００７】  無蓋・碗形で小さく突起した差し口のある片口酒器というものは、湯割りをしやすく、酌もしやすいが、碗形なので把持しにくく、無蓋・広口なので湯割り焼酎が冷めやすい。【０００８】  突起した差し口や蓋や柄がある急須型の銚子は、容器の口が広くて湯割りをしやすく、蓋が有るので湯割りした焼酎が冷めにくいが、その差し口や蓋や柄が邪魔で扱いにくい。【０００９】  徳利は、蓋も柄もなく片手に把りやすい形なので扱いやすく、注入口と注出口を兼ねるその口が程よく狭いので、酌をしやすく、容器中の酒が冷めにくいという長所があった。
一方、その開口の狭さゆえ、焼酎や湯や水を入れにくく、その嵩も視認できないので、焼酎の割り方は別の容器で行う必要があり、それを移し直す手間や湯煎の手間を要した。【００１０】  本発明は、無蓋・無柄で片手に把りやすい燗・酌用の酒器である、ということにおいて徳利と称すべき容器が焼酎のお湯割りが楽にできるものであること、さらに、その内部の湯割り焼酎を冷めにくくできる手段をもつことを課題とする。
【課題を解決するための手段】
【００１１】  この徳利を、普通の徳利と異なり、幅の広い口縁をもつ太筒状の器体とし、その口縁、または、その器体に酌をしやすい注ぎ口をもつものとする。
この広口徳利の器体を極端に括れたり窄まる部分がないものとし、その広い開口から、内部の液体の嵩を容易に視認できるものとする。
この広口徳利と、この広口徳利の口縁と開口を利用して安定して戴置することができてその蓋ともなり得る盃、この二つを対として一組の焼酎用の酒器セットとする。【００１２】別な解決手段として、その材質を内部の液体の嵩を透視できるものとすることによって形成できることになる適度に窄まる首部を介して前者に比べて小振りな口幅とすることができる広口徳利と、この広口徳利の口縁と開口を利用して安定して戴置することができてその蓋ともなり得る盃、この二つを対として一組の焼酎用の酒器セットとする。
【発明の効果】
【００１３】請求項１，２の広口徳利は、瓶の焼酎やポットの湯を注入しやすく、それらの嵩も視認できるので、好みの割合に、楽に焼酎の湯割りができるし、その酌もスムーズにできる。
そして、この酌をするということからは、一つの間が生じるので飲酒のペースの配分がしやすくなるし、盃で嗜むという様式性も、献酬によるコミュニケーションも生まれる。
そして、広口の徳利にその蓋になり得る盃を組み合わせることにより、広口徳利の中の湯割りした焼酎が冷めにくくなるし、焼酎の飲み方の新しいスタイルも提案できる。
つまり、請求項１，２の酒器セットにおいては、広口徳利は盃を休める際の受台になると同時に盃は広口徳利の蓋になる、という独特の趣向になるので大いに興趣が喚起されることになるし、この盃の蓋は、保温の他、焼酎の聞香とアロマセラピーの手段にもなる。
即ち、この酒器セットが供されるなら、焼酎の湯割りが楽にできることが喜ばしいし、それを酌をして盃から飲めることが嬉しいし、盃を徳利の上に戴置することが面白いし、盃が蓋になることや膳が混んでも盃の置き場所があることや残量が分ることが有難いし、その広い開口からレモンやハーブなどを入れて独自の湯割り焼酎を作れることが楽しい。
そして、この広口徳利で焼酎の湯割りをした際、すぐに対の盃で蓋をして、やや置いてこれを取り上げる時、蒸れて立ち上る湯割りした焼酎の香りを広口徳利の程よい開口からしっかりと聞くことができるし、その甘やかなアロマに癒されることができるのである。
【発明を実施するための最良の形態】
【００１４】  図１は、請求項１の酒器セットの構成の一部となる広口徳利の実施例である。
内部の液嵩を容易に視認できて片手にも把りやすい五面筒体を器体（１）としており、対の盃を戴置するのに適当な幅の口縁（３）に有効な注ぎ口である五箇所の隅口（４）があること、そして、その開口（２）は、対の盃の高台を収めるのに適当な程の幅であり、それが、焼酎やポットの湯などを注入しやすいような広さでもあることを表わしている。【００１５】  図２も、請求項１の酒器セットを構成する広口徳利の実施例である。
内部の液嵩を容易に視認できて片手にも把りやすい丸口筒体を器体（１）としており、対の盃を戴置するのに適当な幅の丸い口縁（３）をもち、その器体（１）に酌をしやすくする注ぎ口である筒状の片口（６）を設けていることと、開口（２）は、対の盃の高台を収めるのに適当な幅をもち、焼酎やポットの湯を注入しやすいような広さでもあることを表わしている。【００１６】この請求項１の広口徳利の開口は、湯割りをしやすいためと盃を組合せて乗せる目的のために従来の徳利の開口よりも大分広いものになるので、焼酎や湯を注入しやすいことになるし、その分量や総量を知るための内部の見通しに役立つことにもなるのである。【００１７】  図１の例では、器体（１）を五面体とすることにより、その水平断面という格好の口縁（３）に有効な注ぎ口となる五箇所の隅口（４）がもたらされているが、面体（５）は、把り心地や美観に資するものでもあり、四面体、六面体、そして、曲面多面体などという器体のものも、同じく、請求項１の酒器セットを構成する特徴的な広口徳利となり得る。【００１８】  この広口徳利の高さは、設定する容量、横幅とのバランス、盃の置きやすさ、安定性、一般的な給湯ポットの注ぎ口の高さ、これらを勘案して割り出されるべきものである。【００１９】  図３は、請求項１の酒器セットの構成の一部となる盃の実施例である。
対となる広口徳利の開口（２）の内側に適度な遊びをもって収まる高台（８）を、その口縁（３）を覆う幅のある平らな底裏（７）に設けた、ぐい呑み型の盃を表わしている。
この盃は、蓋としたい時やこれを休める際、対の広口徳利の口縁の上に戴置できるものであり、その高台（８）が広口徳利の開口に収まり、その適当な幅の平らな底裏（７）が広口徳利の口縁を全体的にカバーして、広口徳利の蓋の役割をすることになる。【００２０】  図４は、請求項１の酒器セットの収まりに関わる縦断面図である。
図１の型の広口徳利に図３の型の盃を戴置した収まりの具合を表わしている。
盃の底裏（７）が、広口徳利の口縁（３）全体を覆うほどの幅をもつことと、盃の高台（８）は、広口徳利の開口（２）の内に適度な遊びをもって収まる大きさであることで、口縁（３）の上に戴置する盃がずれて落ちるのを防止する働きをすることを示している。
これらの手段と効果によって、この盃は、対となる広口徳利に安定して戴置することができることになり、そして、その蓋ともなり得ることになる。【００２１】  底部が窄まる普通の盃だと、底部を徳利の口に入れることになり、抜けにくかったり、傾いたり、安定しなかったり、底部が徳利の中味に触れたり、と、具合が悪いし、特に、図１の例のように広口徳利の口縁が多角形だと、その口縁と盃の鉢状の底部との間に角の数だけ三角状の隙間ができて、栓ということにも、蓋ということにもならないのである。【００２２】  図５も請求項１の盃の実施例であり、図１の型の広口徳利と対になるものである。
この盃は、その平らとする底裏（７）から器部まで図１の型の広口徳利の口縁（３）と同形にするものであるが、さらに、高台（８）も口縁（３）と同角形にして口縁（３）の内側に遊び少なく収まる程の大きさとしている。
この高台（８）は、普通に円形でよいのであるが、図１の型の広口徳利の器体（１）と同角形とすると、平らな底裏（７）と多角形の高台（８）と多角形の器体（１）から成る特徴的な盃になるし、盃が回動せず、盃と広口徳利の形が上下ずれないので、次の図６に表わすように、上下の面体（５）の向きが常に揃うことになり、体裁がよいことになる。【００２３】  図６は、請求項１の酒器セットの使用形態を表わすものである。
図１の型の広口徳利の口縁（３）の上に図５の型の盃を戴置した状態を表わしており、この広口徳利と盃のセットにおいては、広口徳利は盃の受台になり、盃は広口徳利の蓋になるという関係になることを示している。【００２４】  この広口徳利と盃を提供する形態としては、一つの広口徳利に一つの盃を組み合わせるものだけでなく、一つの広口徳利に多種の盃を取り合わせるセットなども提供できるし、この酒器セットを構成する上のバリエーションやスペアとなるので、その収まりに関わるサイズを規格化した広口徳利と盃を多種揃え、各々を個別に提供することもできる。【００２５】  図７は、請求項２の酒器セットの構成の一部となる広口徳利の実施例である。
片手に把りやすい六面体の器体（１）から続く窄まる首部（９）の端の口縁（３）が、対の盃を戴置するのに適当な幅と有効な注ぎ口となる六箇所の隅口（４）をもつことと、その開口（２）は、対の盃の高台を内側に収めるのに適当な幅で、瓶の焼酎やポットの湯などを注入しやすいような広さでもあることを表わしているが、この広口徳利は、内部の液嵩を外側から透視できる材質の硝子などをその材料として成るものである。【００２６】  図８の広口徳利も図７の例と同類のものであるが、盃を置くのがより容易になることを意図して、掌に収まる程の丈の低い器体（１）にしたものであり、これも同じく、内部の液嵩を外側から透視できる材質の硝子などをその材料として成るものである。【００２７】  請求項２の広口徳利は、内部の液体の嵩を外側から透視できる材質とすることにより、液嵩を視認しやすいためとしての、その開口から中を見通せる形状を必要としないので、造形の自由度が高いことになる。【００２８】  この広口徳利の首部（９）も上記の理由により設けることができるものである。
この首部を介して口部を適当な幅と形に形成できるので、この請求項２の広口徳利は、請求項１の広口徳利と異なり、割合と小振りな盃も対とすることができることになる。
そして、この首部は、小振りな盃への酌のしやすさに貢献することにもなる。【００２９】  図９は、請求項２の酒器セットの構成の一部となる盃の実施例である。
対とする広口徳利の開口（２）の内側に適度な遊びをもって収まる高台（８）を、その口縁（３）を覆い得るほどの幅のある平らな底裏（７）に設けた、猪口型の盃を表わす。
この盃は、蓋としたい時やこれを休める際、対とする広口徳利の口縁上に安定して戴置できるものであり、その高台（８）が広口徳利の開口に具合よく収まり、適当な幅の底裏（７）がこの広口徳利の水平な口縁を全体的にカバーして蓋の役割をすることになる。
首部を介して口縁を適当な幅にすることができる請求項２の広口徳利では、この図９のように、その底裏の幅が大分狭い、猪口型の盃も対とすることができることになる。【００３０】  図１０は、請求項２の酒器セットの収まりに関わる縦断面図である。
図７の型の広口徳利に図９の型の盃を戴置した収まりの具合を表わしている。
盃の平らな底裏（７）が広口徳利の口縁（３）全体を覆うのに適当な幅であることと、盃の高台（８）は、広口徳利の開口（２）に遊び少なく収まる大きさであることにより、口縁（３）の上に戴置する盃がずれて落ちるのを防止する働きをすることを示している。
これらの手段と効果によって、この盃は、対となる広口徳利に安定して戴置することができることになり、そして、その蓋ともなり得ることになる。【００３１】  図１１は、請求項２の酒器セットの使用形態を表わすものである。
図７の型の広口徳利の口縁（３）の上に図９の型の盃を戴置した状態を表わしており、この広口徳利は盃の受台になり、その盃は広口徳利の蓋になるということと、窄まる首部（９）が盃との幅合せと酌のしやすさに寄与し得るものであることを示している。【００３２】  この酒器セットは、同一材・同一仕上げとすることで一体感の強いものになるが、盃を別材料にして、硝子の徳利と磁器の盃のセットなどというものを設定することもできる。【００３３】  この広口徳利と盃を提供する形態としては、一つの広口徳利に一つの盃を組み合わせるものだけでなく、一つの広口徳利に多種の盃を取り合わせるセットなども提供できるし、本発明のセットを構成する上のバリエーションやスペアとなるので、その収まりに関わるサイズを規格化した広口徳利と盃を多種揃え、各々を個別に提供することもできる。
【図面の簡単な説明】
【００３４】
【図１】  請求項１の広口徳利の実施例の斜視図
【図２】  請求項１の広口徳利の実施例の斜視図
【図３】  請求項１の盃の実施例の斜視図
【図４】  請求項１の酒器セットの収まりの具合を表わす縦断面図
【図５】  請求項１の盃の実施例の斜視透視図
【図６】  請求項１の酒器セットの使用形態の斜視図
【図７】  請求項２の広口徳利の実施例の斜視図
【図８】  請求項２の広口徳利の実施例の斜視図
【図９】  請求項２の盃の実施例の斜視図
【図１０】  請求項２の酒器セットの収まりの具合を表わす縦断面図
【図１１】  請求項２の酒器セットの使用形態の斜視図
【符号の説明】
【００３５】１  器体
２  開口
３  口縁
４  隅口
５  面体
６  片口
７  底裏
８  高台
９  首部
【図１】
0004725851.tif 000002
【図２】
0004725851.tif 000003
【図３】
0004725851.tif 000004
【図４】
0004725851.tif 000005
【図５】
0004725851.tif 000006
【図６】
0004725851.tif 000007
【図７】
0004725851.tif 000008
【図８】
0004725851.tif 000009
【図９】
0004725851.tif 000010
【図１０】
0004725851.tif 000011
【図１１】
0004725851.tif 000012